(57)【要約】【課題】パイプの中間に設けた接続部の内部に分離具を装着し、開口部を有し接続部に密着している蓋に、容器を着脱自在に取り付けた電気掃除機用小物分離補助具を提供する。【解決手段】電気掃除機用に取り付けられる補助具であって、パイプの中間に接続部を設け、前記接続部の一部に開口部が設けられ、少なくとも前記接続部の開口部の一部と重なる形状の開口部を有する蓋が前記接続部の開口部の一部と重なる位置に密着された、前記蓋に容器を着脱自在に取り付け、前記接続部の内部に分離具を前記分離具の面が前記蓋の開口面に対し吸気口側を高く排気口側を低く傾斜させて装着したことを特徴とする電気掃除機用小物分離補助具。なお、接続部に設けられた前記開口部と前記蓋に設けられた前記開口部の形状と取り付け位置を同一に一致させてもよい。【選択図】図１
2005103213.tif 000002
【特許請求の範囲】
【請求項１】
電気掃除機用に取り付けられる補助具であって、パイプの中間に接続部を設け、前記接続部の一部に開口部が設けられ、少なくとも前記接続部の開口部の一部と重なる形状の開口部を有する蓋が前記接続部の開口部の一部と重なる位置に密着された、前記蓋に容器を着説自在に取り付け、前記接続部の内部に分離具を前記分離具の面が前記蓋の開口面に対し吸気口側を高く排気口側を低く傾斜させて装着したことを特徴とする電気掃除機用小物分離補助具。
【請求項２】
請求項１記載の電気掃除機用小物分離補助具において、接続部に設けられた前記開口部と前記蓋に設けられた前記開口部の形状と密着された位置を同一に一致させたことを特徴とする電気掃除機用小物分離補助具。
【発明の詳細な説明】
【技術分野】
【０００１】  本発明は、パイプの中間に設けた接続部の内部に分離具を装着し、開口部を有し接続部に密着している蓋に、容器を着脱自在に取り付けた電気掃除機用小物分離補助具に関するものである。
【背景技術】
【０００２】  従来、電気掃除機本体のごみ袋に小物を吸い込まない方法として、パイプの途中に捕獲パイプを設けて、その中に捕獲板を施したものがある（特許文献１及び２参照）。また、パイプの繋ぎ目に格子状の吸い込み防止具を挿入するものがある（特許文献３及び４参照）。さらに、パイプ内に設けた、補助輪の段部に網具を施したものがある（特許文献５及び６参照）。
【特許文献１】特開２００３−１０２６６２号公報
【特許文献２】特２００１−３３８７２５号公報
【特許文献３】実登３０４４１４５号公報
【特許文献４】実登３０４１８４１号公報
【特許文献５】特開平７−２８４４６６号公報
【特許文献６】特開平６−２７７１６９号公報
【発明の開示】
【発明が解決しようとする課題】
【０００３】  そのために、つぎのような問題点があった。
何れも、捕獲板や防止具或いは網具で受け止める方法であって、小物はパイプの中に留まり、次第に網具等の目が詰まるので、吸い込まれる空気の流れを悪くし、掃除機の作動機能に負担がかかる難点があった。
本発明は、これらの問題点を解決するためになされたものである。
【課題を解決するための手段】
【０００４】パイプの中間に接続部を設け、前記接続部の一部に開口部を設ける。少なくとも前記接続部の開口部の一部と重なる形状の開口部を有する蓋が前記接続部の開口部の一部と重なる位置に密着する。前記蓋の内側にネジ溝を設け、容器の取り付け部の外側に前記蓋のネジ溝にピッチや深さ等が適合するネジ山を設けた前記容器を着脱自在に取り付ける。前記接続部の内部に分離具を前記分離具の平面が前記蓋の開口面に対し吸気口側を高く前記蓋の開口部の排気口側を低く傾斜させて装着する。以上を特徴とする電気掃除機用小物分離補助具である。なお、接続部に設けられた前記開口部と前記蓋に設けられた前記開口部の形状と取り付け位置を同一に一致させてもよい。また、前記蓋と前記容器の取り付けは、フック或いはスプリングとフックを用いて留め具に着脱自在としてもよい。
【発明の効果】
【０００５】  （イ）接続部内に装着した分離具が開口部を通って容器に注ぐように傾斜面して装着されているので、小物は分離具によって、その都度蓋の開口部から容器側へ排出され、容器に収納される。パイプに留まらないので、目詰まりせず、吸い込まれる空気の流れを阻害しない。そのため、電気掃除機の動力負担も軽減される。
（ロ）掃除機、パイプ、接続部・蓋を装着したまま容器の着脱ができる。
（ハ）接続部、蓋、収容器の長さ、大きさ等は任意に選択することが出来る。
【発明を実施するための最良の形態】
【０００６】以下、本発明の実施の形態を、実施例となる図面を参照して説明する。
図１は本発明の斜視図、図２〜図４は実施例のＡ−Ａ断面図、図５は接続部の一部を欠いた分離具未装着時の斜視図、図６は蓋の斜視図、図７は容器の斜視図、接続部に蓋を取り付けた状態を蓋の内側から見た斜視図である。
（イ）パイプ１の中間に接続部２を設ける。パイプ１の長さ方向に、少なくとも、パイプ１の断面積を有する空間を設け、円筒状や箱型状等の形状とする。
（ロ）接続部２の側面の一部に接続部の開口部４を設ける。蓋の開口部５は少なくとも接続部の開口部４の一部と重なる形状の開口部を有する。
（ハ）実施例では接続部の開口部４と蓋の開口部５は長方形の形状で同一に一致した位置で取り付けられている。接続部の開口部４の形状は長方形以外の多角形或いは長さ方向の両端が半円状の略楕円形状の開口部としてもよい。
（ニ）実施例ではパイプ１と接続部２及び蓋７は相互に接着剤で密着されているが、密着による構造の形体を一体として成型してもよい。【０００７】（ホ）パイプ１と接続部２及び蓋７の材料はプラスチック、アクリル、塩化ビニール等とする。
（ヘ）蓋７の形状は、実施例ではネジ山を利用した円形であるが、四角或いは多角の形状の蓋としてもよい。
（ト）蓋７と容器６との取り付けは、蓋７の内側にネジ溝を設け、容器６の取り付け部の外側に蓋７のネジ溝にピッチや深さ等が適合するネジ山を設けた容器６を着脱自在に取り付ける
（チ）蓋７と容器６との取り付けは、実施例によるほか、フック或いはフックとスプリングを利用して留め具と着脱自在にしてもよい。この場合の、蓋と容器の接合部はゴム等の弾性材を用いて気密にする。【０００８】（リ）容器６の材質はプラスチック、アクリル、硬質ガラス、塩化ビニール等の材質を用い、透明のもの、見えないものの選択は任意である。
（ヌ）容器６は蓋７との取り付け部を着脱自在にして実施例の形状のほかに徳利状、瓢箪状、箱状としてもよい。【０００９】（ル）接続部２の内部に分離具３を装着する。分離具３の面が蓋の開口面５の対し吸気口側を高く排気口側を低く２５度〜３５度程度に傾斜させて装着する。
（ヲ）分離具３の形状は接続部２の内壁との間に隙間がないような形状とする。実施例は略靴べら状のもので、先端の細い部分を吸気口８側にして装着し靴べら状の手元になる部分が蓋の開口部５の排気口９側端部に接して装着する。靴べら状の手元になる部分は容器６の内側に一部が出てもよい。
（ワ）分離具３の形状は接続部２の内壁が四角等多角を有する場合は、長方形等多角形の形状の分離具３とする。【００１０】（カ）分離具３の枠及び面の材料は金属、プラスチック、アクリル、塩化ビニールを用いることも出来る。実施例では金属が使用されている。
（ヨ）分離具３の形状を有する枠と一体をなす面は平面状とし、パイプの長さ方向に複数本の金属等の線を分離具３の枠の長さ方向の両端に固定する。
（タ）前記の固定は接着剤や電気半だ付けによるほか、一体として成型してもよい。【００１１】（レ）前記複数本の金属等の線は必ずしもパイプの長さ方向だけでなく、パイプの長さ方向から９０度以内において傾斜して設けてもよい。また、前記複数本の金属等の線を格子状に設けてもよい。
（ソ）分離具３の面をなす複数本の金属等の線の各線の間隔又は格子状の各空間の間隔は数ミリ程度とする。
（ツ）前記金属等の線の断面は直径１〜３ミリ程度とする。
（ネ）分離具３は接続部２の内部に固定して設けることも出来る。
本発明は以上のような構成で、これを使用するときは、接続部２の両端のパイプ１をそれぞれ電気掃除機側の管路及び先端側の管路にそれぞれ差し込み、掃除機を作動させる。パイプ１の吸気口側から吸い込まれたごみや小物のうち、ごみは分離具３の金属等の線の隙間を通過して電気掃除機のごみ袋に入る。
分離具３の隙間を通過しない小物は、分離具３の面に当たると同時に、分離具３の傾斜面を滑り、蓋の開口部４から容器６に入る。
容器６の中の小物は、容器６と蓋７との取り付けネジを緩め、外して簡単に取り出すことが出来る。
【図面の簡単な説明】
【００１２】
【図１】本発明の斜視図
【図２】実施例の接続部のＡ−Ａ断面図
【図３】実施例の蓋のＡ−Ａ断面図
【図４】実施例の容器のＡ−Ａ断面図
【図５】接続部の一部を欠いた分離具未装着時の斜視図
【図６】蓋の斜視図
【図７】容器の斜視図
【図８】接続部に蓋を取り付けた状態を蓋の内側から見た斜視図
【符号の説明】
【００１３】１  パイプ
２  接続部
３  分離具
４  接続部の開口部
５  蓋の開口部
６  容器
７  蓋
８  吸気口
９  排気口
【図１】
2005103213.tif 000003
【図２】
2005103213.tif 000004
【図３】
2005103213.tif 000005
【図４】
2005103213.tif 000006
【図５】
2005103213.tif 000007
【図６】
2005103213.tif 000008
【図７】
2005103213.tif 000009
【図８】
2005103213.tif 000010